(57)【要約】【課題】肩部の広い範囲に亘って一定強さでマッサージすることができると共に、肩部の所望の位置を集中的にマッサージすることが可能となるマッサージ装置を提供する。【解決手段】人体当接面を有すると共に、使用者（人体）の肩部に向かって進退駆動して肩部をマッサージする施療子２３が設けられた背凭れ部（装置本体）１３を備えたマッサージ装置１０であって、施療子２３を、肩部の前側から後側に対向する曲面（スライド面）３１にほぼ沿って移動可能に設けた。【選択図】  図２
2004222892.tif 000002
【特許請求の範囲】
【請求項１】
人体当接面を有すると共に、人体の肩部に向かって進退駆動して前記肩部をマッサージする施療子が設けられた装置本体を備えたマッサージ装置であって、
前記施療子は、前記肩部の前側と後側との間の対向する曲面にほぼ沿って移動可能に設けられていることを特徴とするマッサージ装置。
【請求項２】
請求項１に記載のマッサージ装置において、前記装置本体には前記施療子を進退駆動させる施療子作動手段と、前記施療子を移動させる施療子移動手段と、前記施療子作動手段及び前記施療子移動手段を制御する制御手段とが設けられ、
該制御手段は、前記施療子移動手段を制御して前記施療子を移動させると共に、前記施療子作動手段を制御して前記施療子を進退駆動させることを特徴とするマッサージ装置。
【請求項３】
請求項１又は２に記載のマッサージ装置において、前記人体当接面には前記施療子を収納可能な収納凹部が設けられ、前記施療子は、前記収納凹部に出没可能に設けられると共に、駆動電源を切った際、又は、所定マッサージコースが終了した際の少なくともどちらか一方の時、前記収納凹部に収納されることを特徴とするマッサージ装置。
【発明の詳細な説明】
【０００１】
【発明の属する技術分野】
この発明は、人体の肩部をマッサージする施療子を有するマッサージ装置に関するものである。
【０００２】
【従来の技術】
従来のマッサージ装置として、図８に示すようなものが知られている（例えば特許文献１参照）。
【０００３】
このマッサージ機１は人体当接面を有すると共に、一対の施療子２、２が設けられたマッサージ機本体３を備えている。なお、人体当接面はマッサージ機本体３の上面全体である。
【０００４】
施療子２はもみ玉２ａと、このもみ玉２ａが設けられた押圧板２ｂとから構成されている。そして、押圧板２ｂの一端側に軸２ｃを取付けると共に、この軸２ｃをマッサージ機本体３に回動自在に係合させて、押圧板２ｂをマッサージ機本体３に対して回動自在としている。さらに、押圧板２ｂとマッサージ機本体３の上面３ａとの間にはエアバッグ４が介在されている。
【０００５】
このマッサージ機１は、エアバッグ４に空気を給排気して膨張・収縮させることにより、軸２ｃを中心に押圧板２ｂを回動させ、もみ玉２ａを人体に対して進退駆動させてマッサージを行う。
【０００６】
また、図９に示すマッサージ装置５は、座部５ａと背凭れ部５ｂを有するいわゆる椅子式マッサージ装置であり、背凭れ部５ｂには人体の肩部をマッサージする肩揉み部材６が昇降動自在に設けられている（例えば特許文献２参照）。
【０００７】
肩揉み部材６は、下方に開放した肩挿入溝７が形成され、この肩挿入溝７には、内側壁７ａに沿ってエアバッグ８が設けられている。
【０００８】
このマッサージ装置５を使用するには、使用者はまず、座部５ａに座って背凭れ部５ｂに背を押し当てる。次に、使用者の肩部位置にまで肩揉み部材６を昇降動させて、肩挿入溝７に使用者の肩部を挿入する。そして、エアバッグ８に空気を給排気して膨張・収縮させることによりマッサージを行う。
【０００９】
さらに、肩部をマッサージする施療子を人体の上下方向に沿って移動させるものも知られている（例えば特許文献３参照）。このようなマッサージ装置では、施療子の位置を所望の位置に変更し、施療子の当接位置を調節してマッサージを行っている。
【００１０】
【特許文献１】
特開２００１−３４６８４３号公報（段落００１４、段落００１７、図２）
【特許文献２】
特開２００１−２４５９４４号公報（段落００１２、段落００１９、図４）
【特許文献３】
特開２０００−２３３００４号公報
【００１１】
【発明が解決しようとする課題】
ところで、上述のマッサージ装置１では、施療子２の回動支点である軸２ｃは、マッサージ装置本体３に対して固定されている。
【００１２】
そのため、施療子２の移動範囲は軸２ｃを中心とした回動軌道に限定されており、肩部の広い範囲に亘ってマッサージすることができないという問題が生じていた。
【００１３】
また、マッサージ装置５の場合では、肩部を挿入してマッサージを行う肩挿入溝７の開放方向が下方向きに固定されており、肩部に対するエアバッグ７の押圧方向が一定になっていた。
【００１４】
そのため、このマッサージ装置５であっても肩部の広い範囲に亘ってマッサージすることが困難になるとともに、肩部の所望の位置を集中的にマッサージすることが難しいという問題が生じていた。
【００１５】
さらに、肩部をマッサージする施療子を人体の上下方向に沿って移動させるマッサージ装置の場合では、施療子の人体に対する進退駆動の方向が当接する人体の位置によって異なり、施療子の当接位置によってマッサージの押圧強さが異なるという問題が生じていた。
【００１６】
この発明は、上記問題に鑑みてなされたものであり、肩部の広い範囲に亘って一定強さでマッサージすることができると共に、肩部の所望の位置を集中的にマッサージすることが可能となるマッサージ装置を提供することを目的としている。
【００１７】
【課題を解決するための手段】
上記課題を解決するために、この発明のマッサージ装置は、人体当接面を有すると共に、人体の肩部に向かって進退駆動して肩部をマッサージする施療子が設けられた装置本体を備え、施療子は、肩部の前側と後側との間のに対向する曲面にほぼ沿って移動可能に設けられていることを特徴としている。
【００１８】
この発明によれば、肩部をマッサージする施療子が、肩部の前側と後側との間の対向する曲面にほぼ沿って移動可能に設けられているので、肩部の広い範囲に亘って一定の強さでマッサージすることができる。
【００１９】
さらに、施療子の位置を移動させてこの施療子が当接する肩部の位置を変更することができるので、施療子の人体に対する進退駆動方向が一定になって、施療子の当接位置に関わらず一定の押圧強さでマッサージすることができると共に、肩部の所望の位置を集中的にマッサージすることも可能となる。
【００２０】
【発明の実施の形態】
以下、図面に基づいてこの発明の実施の形態を説明する。
【００２１】
図１において、１０はマッサージ装置である。このマッサージ装置１０は座部１１と、座部１１の両側部を支持する一対の脚部１２、１２と、座部１１の後縁部に起倒調節可能に設けられた背凭れ部１３と、座部１１の前縁部下側に設けられた脚載置部（オットマン）１４と、座部１１の下側に配設された給排気装置１５等とを有している。
【００２２】
装置本体である背凭れ部１３には使用者（人体）の腰部等をマッサージする一対の腰用マッサージユニット１６と、肩部等をマッサージする肩用マッサージユニット２０と、首部等をマッサージする首用マッサージユニット１７とが長手方向に並列して設けられている。また、脚載置部１４にはふくらはぎ等をマッサージするエアバッグからなる複数の脚用マッサージユニット１８が設けられている。
【００２３】
さらに、この背凭れ部１３には、後述する施療子移動手段５０と、施療子作動手段（エアバッグ）２１とをそれぞれ制御する制御手段（制御回路）Ｓが設けられている。
【００２４】
そして、座部１１、背凭れ部１３、脚載置部１４にはそれぞれカバーＫが設けられ、各マッサージユニット１６、１７、１８、２０はカバーＫによって覆われている。このカバーＫによって覆われた各部分の上面は、マッサージ装置１０を使用する使用者に当接する人体当接面Ｇとなっている。
【００２５】
肩用マッサージユニット２０は、図２に示すように、装置本体である背凭れ部１３に内蔵された固定支持台３０と、固定支持台３０に摺動自在に設けられた可動支持台４０と、可動支持台４０に設けられた施療子作動手段であるエアバッグ２１と、エアバッグ２１に重ねられて可動支持台４０に取り付けられた支持板２２と、支持板２２に設けられた施療子（もみ玉）２３等とを備えている。
【００２６】
固定支持台３０は、背凭れ部１３内に配設されると共に長手方向に延在されたフレーム１３ａに支持されている。そして、人体当接面Ｇに対向する面には、スライド面３１が形成されている。
【００２７】
このスライド面３１は、背凭れ部１３の下側から上側に向かうにつれて次第に人体当接面側に突出するように滑らかな円弧状に形成されており、人体の肩部の前側と後側との間の対向する曲面となっている。
【００２８】
また、このスライド面３１は、マッサージ装置１０の駆動電源を切った際、又は、所定マッサージコースが終了した際の少なくともどちらか一方の時に、可動支持台４０が収納されて、人体当接面Ｇから突出させないようにする収納凹部となっている。
【００２９】
そして、スライド面３１には、後述する可動支持台４０に設けられた一対の取付けボス４２、４２が挿入される一対のスリット３２、３２が形成されている（図３参照）。このスリット３２、３２は、背凭れ部１３の上下方向、つまり肩部の前側から後側に沿って延びている。
【００３０】
さらに、この固定支持台３０の内部には、施療子移動手段５０が配設されている。
【００３１】
この施療子移動手段５０は、可動支持台４０をスライド面３１に沿って移動させることにより、施療子２３を肩部の前側と後側との間に沿って移動させるための手段である。
【００３２】
そして、施療子移動手段５０は、縦送りネジ軸５１と、ギヤを介して縦送りネジ軸５１を回転させるモータ５２と、縦送りネジ軸５１に螺合して縦送りネジ５１の回転により上下動するナット５３と、ナット５３及び取付けボス４２が取り付けられた環状の線条部材５４と、線条部材５４の所定箇所を支持する複数の送りローラ５５等とを備えている。
【００３３】
一方、可動支持台４０は、所定の厚みを有するほぼ長方中空体に形成されると共に、一つの面にはスライド面３１に沿って円弧状に湾曲した湾曲面４１が形成されている。
【００３４】
そして、この湾曲面４１には、図２（ｂ）に示すように一対の取付けボス４２、４２（片側のみ図示）が突出形成されている。
【００３５】
そして、この一対の取付けボス４２、４２は、図３に示すように、固定支持台３０に設けられたスリット３２ａ、３２ｂにそれぞれ挿入されている。そしてスリット３２ａ、３２ｂに挿入された一対の取付けボス４２、４２は、板バネ４３によって互いに連結されて抜けないように保持されている。
【００３６】
なお、板バネ４３は図示しないネジ等によって取付けボス４２、４２に固定されると共に、中間部の上下端近傍にネジ４４、４４が取り付けられている。そして、このネジ４４、４４には固定端子５４ａを介して線条部材５４のそれぞれの端部が取り付けられている。
【００３７】
さらに、エアバッグ２１は、図４に示すように、中間部が可動支持台４０に固着され、左右に分割されている。そして、左右それぞれのエアバッグ２１は可動支持台４０に形成された給排気口４５ａ、４５ｂ（図３参照）に取り付けられた図示しないエアホースを介して給排気装置１５に連通されている。
【００３８】
また、このエアバッグ２１に重ねられた支持板２２も中間部２２ａが可動支持台４０に固着され、この中間部２２ａが屈曲可能にされている。なお、支持板２２は硬質樹脂等により形成されており、中間部２２ａを挟んで両側部に設けられた一対の施療子２３、２３と一体成型されている。
【００３９】
そして、エアバッグ２１に給排気装置１５から空気を供給すると、図４（ａ）に示すようにエアバッグ２１が膨張し、支持板２２は中間部２２ａが屈曲する。これにより、支持板２２の両側部にそれぞれ設けられた施療子２３、２３は、支持板２２の中間部２２ａ中心に互いに近接するように回動して使用者の肩部を押圧する。
【００４０】
次に、エアバッグ２１から空気を排出させると、図４（ｂ）に示すように、エアバッグ２１は収縮し、支持板２２は可動支持台４０にほぼ沿った状態になる。これにより、施療子２３、２３は互いに離間すると共に、使用者の肩部から離れる。
【００４１】
このように、施療子作動手段であるエアバッグ２１に空気を給排気することによってエアバッグ２１が膨張・収縮し、施療子２３は使用者に向かって進退駆動して、人体当接面Ｇに接している使用者の肩部をマッサージする。
【００４２】
次に、このマッサージ装置１０の作用について説明する。
【００４３】
このマッサージ装置１０を使用するには、まず、マッサージ装置１０の駆動電源を入れて、図示しないリモコンＲを操作する。このリモコンＲの操作により所定の電気信号が制御回路Ｓに伝達されて容易に操作することができる。
【００４４】
次に、このリモコンＲを操作することにより、施療子移動手段５０のモータ５２に所定の電気信号が伝達され、肩用マッサージユニット２０の固定支持台３０に取り付けられた可動支持台４０が移動する。
【００４５】
このとき、電気信号が伝達された施療子移動手段５０は、まず、モータ５２を駆動して縦送りネジ軸５１を回転させ、ナット５３を上下動させる。そして、ナット５３の上下動に伴って環状に支持された線条部材５４が回転して、この線条部材５４に固定された取付けボス４２を移動させる。取付けボス４２が移動することにより、この取付けボス４２が形成された可動支持台４０をスリット３２、３２が形成されたスライド面３１に沿って移動させることができる。
【００４６】
なお、可動支持台４０の取付けボス４２、４２が形成された一面は、スライド面３１に沿った湾曲面４１であるので、可動支持台４０はスライド面３１に沿って円滑に移動することができる。
【００４７】
また、このスライド面３１は使用者の肩部の前側と後側との間の対向する曲面に形成されているので、可動支持台４０は、使用者の肩部の前側から後側に沿って移動することができる。
【００４８】
そして、肩部の所望の位置に施療子２３、２３が当接するように可動支持台４０の位置を調節する。なお、この可動支持台４０は、縦送りネジ軸５１の回転を停止し、ナット５３を所定位置に位置させることにより所望の位置に固定される。
【００４９】
このように、図６及び図７に示すように、可動支持台４０をスライド面３１に沿って移動させることにより施療子２３、２３の肩部に対する位置を移動させて、この施療子２３、２３が当接する使用者Ｈの肩部の位置を自由に変更することができる。そして、肩部の所望の位置を集中的にマッサージすることが可能となる。
【００５０】
そして、上述のように肩部の所望の位置に施療子２３、２３が当接するように調節したら、再び制御回路Ｓを操作して施療子作動手段に所定の電気信号を伝達し、施療子２３、２３を進退駆動させる。
【００５１】
施療子作動手段を操作するには、まず制御回路Ｓにより給排気装置１５を駆動させて、エアバッグ２１に空気を供給する。空気が供給されたエアバッグ２１は、図４（ａ）に示すように膨張し、エアバッグ２１に重ねられた支持板２２を中間部２２ａを中心に回動させ、施療子２３、２３を互いに近接するように回動させる。これにより、施療子２３、２３は人体当接面Ｇから突出し、使用者の肩部を押圧する。
【００５２】
次に、制御回路Ｓにより三方弁Ｂを操作して、エアバッグ２１内の空気を大気に排出させる。空気が排出されたエアバッグ２１は、図４（ｂ）に示すように収縮し、支持板２２は可動支持台４０にほぼ沿った状態になる。これにより、施療子２３、２３は互いに離間すると共に、使用者の肩部から離れる。
【００５３】
このように、施療子作動手段を操作して施療子２３、２３を人体に対して進退駆動させ、使用者の肩部のマッサージを行う。
【００５４】
したがって、このマッサージ装置１０によれば、施療子２３、２３を肩部の前側から後側に対向する曲面に形成されたスライド面３１にほぼ沿って移動することができるので、使用者Ｈに対する施療子２３、２３の進退駆動方向を、施療子２３、２３の当接位置に関わらず一定にすることができる。そして、肩部の広い範囲に亘って一定の押圧強さでマッサージをすることができる。
【００５５】
さらに、マッサージ装置１０の駆動電源を切った際、又は、所定マッサージコースが終了した際の少なくともどちらか一方の時には、収納凹部にされているスライド面３１に可動支持台４０が収納される（図６参照）ので、施療子２３、２３が人体当接面Ｇから突出することを防止できる。
【００５６】
これにより、マッサージ装置１０によってマッサージを行っていない場合に、施療子２３、２３が人体当接面Ｇから突出して施療子２３、２３によって違和感を感じることはない。
【００５７】
以上、この発明に係る実施の形態の一つを図面により詳述してきたが、具体的な構成は上述の実施の形態に限らず、この発明の要旨を逸脱しない範囲の設計の変更等があってもこの発明に含まれる。
【００５８】
上述の実施の形態では、まず施療子移動手段５０を操作して可動支持台４０の位置を調節し、施療子２３、２３が肩部の所望の位置に当接するようにしてから、施療子作動手段を操作してマッサージを行っている。
【００５９】
しかしながら、施療子移動手段５０により可動支持台４０の位置を移動させて、施療子２３、２３が当接する位置を変更しながら、同時に施療子作動手段を操作して施療子２３、２３を進退駆動させ、肩部のマッサージを行ってもよい。
【００６０】
これにより、肩部の全体を色々な角度から満遍なくマッサージすることができると共に、肩部の一部分を局所的にマッサージすることを防止することが可能となる。
【００６１】
なお、上述の実施の形態に係るマッサージ装置１０は、いわゆる椅子式のマッサージ装置であるが、使用者が横になった状態でマッサージを行ういわゆるマット式のマッサージ装置であってもよい。
【００６２】
【発明の効果】
この発明によれば、肩部の広い範囲に亘って一定強さでマッサージすることができると共に、肩部の所望の位置を集中的にマッサージすることが可能となるマッサージ装置を提供することができる。
【図面の簡単な説明】
【図１】この発明に係るマッサージ装置を示す全体斜視図である。
【図２】（ａ）この発明に係るマッサージ装置の要部断面図である。
（ｂ）図２（ａ）におけるＡ部の拡大図である。
【図３】固定支持台と可動支持台とを示す分解斜視図である。
【図４】（ａ）エアバックを膨張させた場合の要部断面図である。
（ｂ）エアバッグを収縮させた場合の要部断面図である。
【図５】制御回路による制御を示す説明ブロック図である。
【図６】可動支持台がスライド面の下部に位置した状態を示す説明図である。
【図７】可動支持台がスライド面の下部に位置した状態を示す説明図である。
【図８】従来のマッサージ装置を示す斜視図である。
【図９】従来のマッサージ装置の他の例を示す一部破断側面図である。
【符号の説明】
１０        マッサージ装置
２３        施療子
３１        スライド面（曲面）
【図１】
2004222892.tif 000003
【図２】
2004222892.tif 000004
【図３】
2004222892.tif 000005
【図４】
2004222892.tif 000006
【図５】
2004222892.tif 000007
【図６】
2004222892.tif 000008
【図７】
2004222892.tif 000009
【図８】
2004222892.tif 000010
【図９】
2004222892.tif 000011